(57)【特許請求の範囲】
【請求項１】
正面および裏面に形成されたＰＣ段板用の嵌合溝を設けると共に、下部側に位置合わせ用の位置調整治具をボルトを介して回転自在に設け、両側面の前記嵌合溝の近傍に踊場板を支持すると共にレベル調整ボルトを有する仮受板を設けたＰＣ壁柱を形成し、該ＰＣ壁柱を、前記位置調整治具を上側に回転させた状態で基礎上の前記ＰＣ壁柱に継ぎ足し状態に載置し位置調整治具を元に戻し位置合わせして基礎上の前記ＰＣ壁柱に連結し、同様のやり方で複数の前記ＰＣ壁柱を順次上部に継ぎ足して所要高さの壁柱を構築し、該壁柱の建て入れ精度を仮受材を支持したパイプサポートで調整した後、該構築した壁柱の一方の面側において一方のＰＣ段板を前記仮受板に支持させて仮置きすると共に、そのＰＣ段板の側部を前記嵌合溝に嵌め合わせて壁柱の反対面からネジ鉄筋で仮固定し、該壁柱の反対側面にも他方のＰＣ段板を前記と同様のやり方で仮固定し、これら仮固定された一方のＰＣ段板の上部の踊場板と、他方のＰＣ段板の下部の踊場板とのレベルを前記レベル調整ボルトで調整した後に前記両ＰＣ段板を本固定することを特徴とする組立階段の組立方法。
【発明の詳細な説明】
【０００１】
【発明の属する技術分野】
本発明は組立階段の組立方法に関するものである。
【０００２】
【従来の技術】
近年における極端な労働力不足の解消や、労働力の集約化を目的としてＰＣ部材による組立階段が多く構築されるようになってきた。
この組立階段は熟練技術者でなくても簡単かつ短期間に階段を構築できるという利点があり、その組立方法はＰＣ壁柱を縦方向に複数継ぎ足して壁柱を形成し、該壁柱の両側面における嵌合溝内にＰＣ段板の側部を嵌合して組み立てるものである。
【０００３】
【発明が解決しようとする課題】
しかし上記の組立階段は、そのほとんどがＰＣ壁柱やＰＣ段板をパイプサポートやその他の支持部材で支持しながら組み立てていた。
そのため従来と比べて簡潔かつ短期間に階段の構築ができるようになってきたが、それでもほとんどがパイプサポートやその他の支持部材で支持していたため、高い精度で組立ができず、しかも大がかりな組立となっていた。
【０００４】
本発明はこれらの問題に鑑みてなされたものであり、その目的は、パイプサポートの使用を少なくして簡単かつ短期間で、しかも高い精度で組立ができる組立階段の組立方法を提供することである。
【０００５】
【課題を解決するための手段】
以上の課題を解決するための手段は、正面および裏面に形成されたＰＣ段板用の嵌合溝を設けると共に、下部側に位置合わせ用の位置調整治具をボルトを介して回転自在に設け、両側面の前記嵌合溝の近傍に踊場板を支持すると共にレベル調整ボルトを有する仮受板を設けたＰＣ壁柱を形成し、該ＰＣ壁柱を、前記位置調整治具を上側に回転させた状態で基礎上の前記ＰＣ壁柱に継ぎ足し状態に載置し位置調整治具を元に戻し位置合わせして基礎上の前記ＰＣ壁柱に連結し、同様のやり方で複数の前記ＰＣ壁柱を順次上部に継ぎ足して所要高さの壁柱を構築し、該壁柱の建て入れ精度を仮受材を支持したパイプサポートで調整した後、該構築した壁柱の一方の面側において一方のＰＣ段板を前記仮受板に支持させて仮置きすると共に、そのＰＣ段板の側部を前記嵌合溝に嵌め合わせて壁柱の反対面からネジ鉄筋で仮固定し、該壁柱の反対側面にも他方のＰＣ段板を前記と同様のやり方で仮固定し、これら仮固定された一方のＰＣ段板の上部の踊場板と、他方のＰＣ段板の下部の踊場板とのレベルを前記レベル調整ボルトで調整した後に前記両ＰＣ段板を本固定することを特徴とする組立階段の組立方法である。
【０００６】
【発明の実施の形態】
以下、本発明の組立階段の組立方法およびそれに用いるＰＣ壁柱の実施の形態の一例を図面に基づいて説明する。
図１の（１）はＰＣ壁柱の正面図、同（２）は同側面図、図２〜図５は組立階段の組立方法を示したものである。
【０００７】
図１は本発明の組立階段の組立方法に使用するＰＣ壁柱１であり、その正面及び裏面にＰＣ段板用の嵌合溝２が形成され、その近傍の側面には仮受材３が取り付けられている。
この仮受材３はＰＣ段板が前記嵌合溝２に嵌め合わされたときに、踊場板を支持するものであり取付ボルト４で取外自在に仮固定されている。
【０００８】
また仮受材３の上板３ａにはＰＣ段板のレベルを調整するレベル調整ボルト５が取り付けられ、その上端が上板３ａから突出するようになっている。
またＰＣ壁柱１の正面及び裏面の下部には位置調整治具６がボルト６ａを中心に回転自在に取り付けられている。
【０００９】
この位置調整治具６はＰＣ壁柱１を縦方向に複数継ぎ足して壁柱を形成する場合に、その位置ずれを調整するものである。
そしてＰＣ壁柱１を継ぎ足す場合は、位置調整治具６を二点鎖線で示すように回転させて継ぎ足しが簡単にできるようにし、継ぎ足した後は元の位置に戻して下側のＰＣ壁柱にボルト止めする。図中７は下側のＰＣ壁柱と接合するための接続筋である。
【００１０】
次に、組立階段の組立方法について図２〜図５に基づいて説明する。
先ず、ＰＣ壁柱１をコンクリート基礎上に建て込んで固定するとともに、他のＰＣ壁柱１をクレーンで吊り上げて前記建て込んだＰＣ壁柱１の上に順次複数継ぎ足し位置調整治具６で固定して所定の高さの壁柱８を構築する。
【００１１】
この場合、位置調整治具６はボルト６ａを中心に回転自在となっているため、これを上方に回転させＰＣ壁柱の載置後に元に戻すことで仮受材３を備えたＰＣ壁柱１が容易に位置合わせをして適正に継ぎ足せるようになっている。
また、このように構築した壁柱８の垂直度を計測器９で計測して、仮受材３を支持したパイプサポート１０や、仮受材３に接続したワイヤー１１で全体の建て入れ精度を調整することができる。
【００１２】
次に、ＰＣ段板１２をクレーンで水平に揚重して壁柱８の両側面の仮受材３にわたって仮置きし、その側部をＰＣ段板用の嵌合溝２に嵌め合わせるとともに、上側の踊場板１２ａと下側の踊場板１２ｂとをパイプサポート１０で支持し、壁柱８の反対側からネジ鉄筋１３を仮締めして仮固定する。
そして水準器１４で壁柱８の平行方向及び直交方向の水平度を計測してその精度を調整する。
【００１３】
次に、壁柱８の反対面に前記と同様の方法でＰＣ段板１２を仮固定して階段を形成する。
この状態で一方のＰＣ段板１２の上側における踊場板１２ａと、他方のＰＣ段板１２の下側における踊場板１２ｂとは仮受材３上に載置されるのでレベル調整ボルト５で微妙な水平度を調整する。このレベル調整ボルト５は手動で回転できるため水平精度を高めることができる。
【００１４】
このように壁柱８の両面にＰＣ段板１２を仮固定して建入れ精度を調整した後に、壁柱８の建入れ精度及びＰＣ段板１２の取り付け精度を再調整した後、前記ネジ鉄筋１３を本締めしてＰＣ段板１２を本固定する。
以上のような作業を順次繰り返すことにより、図５に示すような、組立階段１５が構築される。
【００１５】
続いて最終的な建入れ精度を調整した後に、パイプサポート１０、仮受材３及び位置調整治具６を撤去する。
そしてＰＣ段板１２にそれぞれ手摺（図示せず）を取り付けると最終的な組立が完了する。なお踊場１６と躯体１７とはＰＣ段板１２の組立時に接合する。
【００１６】
【発明の効果】
本発明に係る組立階段の組立方法は、正面および裏面に形成されたＰＣ段板用の嵌合溝を設けると共に、下部側に位置合わせ用の位置調整治具をボルトを介して回転自在に設け、両側面の前記嵌合溝の近傍に踊場板を支持すると共にレベル調整ボルトを有する仮受板を設けたＰＣ壁柱を形成し、該ＰＣ壁柱を、前記位置調整治具を上側に回転させた状態で基礎上の前記ＰＣ壁柱に継ぎ足し状態に載置し位置調整治具を元に戻し位置合わせして基礎上の前記ＰＣ壁柱に連結し、同様のやり方で複数の前記ＰＣ壁柱を順次上部に継ぎ足して所要高さの壁柱を構築し、該壁柱の建て入れ精度を仮受材を支持したパイプサポートで調整した後、該構築した壁柱の一方の面側において一方のＰＣ段板を前記仮受板に支持させて仮置きすると共に、そのＰＣ段板の側部を前記嵌合溝に嵌め合わせて壁柱の反対面からネジ鉄筋で仮固定し、該壁柱の反対側面にも他方のＰＣ段板を前記と同様のやり方で仮固定し、これら仮固定された一方のＰＣ段板の上部の踊場板と、他方のＰＣ段板の下部の踊場板とのレベルを前記レベル調整ボルトで調整した後に前記両ＰＣ段板を本固定することにより、余分なパイプサポートや他の支持部材等の大がかりな部材を必要とせずに、簡単かつ短期間で、高い精度の組立階段の組立が行える。
【００１７】
従来のように数多くのパイプサポートやその他の支持部材を使用しないので、組立階段の組立が経済的に行える。
【００１８】
ＰＣ壁柱本体の正面及び裏面にＰＣ段板用の嵌合溝と、下方に伸びる回転自在な位置調整治具とを備え、両側面には仮受材を備えたことにより、ＰＣ壁柱の継ぎ足しが容易に適正に行えると共に、ＰＣ段板の組み込みが容易に行えて、建入れ精度の高い壁柱が簡単かつ短期間に建て込めるとともに、壁柱にＰＣ段板を容易に組み付けることができる。
【００１９】
仮受材にレベル調整ボルトが備えられたことにより、簡単な方法でＰＣ段板のレベル調整ができ、その水平精度を高めることができる。
【図面の簡単な説明】
【図１】  （１）はＰＣ壁柱の正面図、（２）は同側面図である。
【図２】  ＰＣ壁柱を縦方向に継ぎ足して形成した壁柱の斜視図である。
【図３】  壁柱の片側にＰＣ段板を取り付けた斜視図である。
【図４】  （１）は壁柱の両側にＰＣ段板を取り付けた状態の斜視図、同（２）は平面図、同（３）及び（４）は仮受材にＰＣ段板を仮置きした断面図である。
【図５】  構築が完了した組立階段の側面図である。
【符号の説明】
１  ＰＣ壁柱
２  嵌合溝
３  仮受材
４  取付ボルト
５  レベル調整ボルト
６  位置調整治具
７  接続筋
８  壁柱
９  計測器
１０  パイプサポート
１１  ワイヤー
１２  ＰＣ段板
１３  ネジ鉄筋
【図１】
0003669762.tif 000002
【図２】
0003669762.tif 000003
【図３】
0003669762.tif 000004
【図４】
0003669762.tif 000005
【図５】
0003669762.tif 000006